(57)【要約】      （修正有）【課題】構造の複雑化やコストアップを招くことなく、通電状態の表示や報知が可能な電気調理器を提供する。【解決手段】調理手段と、商用電源３２に接続され調理手段への通電を制御する通電制御手段と、調理手段に供給される電流経路に１次側端子対を直列に挿入された変成器３３と、この変成器３３の２次側端子対より電源電流を供給されて動作する表示手段３４、もしくは報知手段とより構成した。又、変成器の２次側端子対より電源電流を供給されて動作する表示手段３４、もしくは報知手段は、変成器３３の２次側端子対の出力電圧の大小により、その表示の状態、もしくは報知の状態を変化させることを特徴とする。【選択図】図１
2013202160.tif 000002
【特許請求の範囲】
【請求項１】
調理手段と、商用電源に接続され調理手段への通電を制御する通電制御手段と、調理手段に供給される電流経路に１次側端子対を直列に挿入された変成器と、この変成器の２次側端子対より電源電流を供給されて動作する表示手段、もしくは報知手段とよりなる電気調理器。
【請求項２】
変成器の２次側端子対より電源電流を供給されて動作する表示手段、もしくは報知手段は、変成器の２次側端子対の出力電圧の大小により、その表示の状態、もしくは報知の状態を変化させることを特徴とする、請求項１に記載の電気調理器。
【請求項３】
変成器の２次側端子対間に、過電圧吸収手段を接続したことを特徴とする、請求項１もしくは請求項２に記載の電気調理器。
【発明の詳細な説明】
【技術分野】
【０００１】
本発明は、商用電源を動力源とし、調理物の加熱や粉砕、混合等を行う電気調理器に関するものである。
【背景技術】
【０００２】
従来、この種の電気調理器は、ヒータ等の調理手段に、ネオン管と抵抗の直列接続を、並列に接続し、調理手段に通電中であることを表示していた。（例えば、特許文献１参照）。
【０００３】
図４は、特許文献１に記載された、従来の電気調理器（加熱調理器）の回路図を示すものである。
【０００４】
図４に示すように、可動接点１９，２０は、使用者によって選択的に押されるスイッチボタン２６，２７によって連動して動かされる。使用者が、スイッチボタン２６を押したとき、可動接点１９は固定接点１２に接続され、可動接点２０は固定接点１６に接続されて、ヒータ３、４は、固定接点１２よりサーモスタット１４を介して通電され、同時に、ネオン管１０と抵抗２の直列接続は、固定接点１６を介して通電が行なわれ、ネオン管１０が点灯し、サーモスタット１４を介してヒータ３，４への通電が行われていることを、表示する。
【０００５】
一方、使用者が、スイッチボタン２７を押したとき、可動接点１９は固定接点１３に接続され、可動接点２０は固定接点１７に接続されて、ヒータ３、４は、固定接点１３より直接通電され、同時に、ネオン管１１と抵抗２の直列接続は、固定接点１７を介して通電が行なわれ、ネオン管１１が点灯し、ヒータ３、４は、サーモスタット１４を介さず、直接商用電源９より電流が供給されていることを、表示する。
【先行技術文献】
【特許文献】
【０００６】
【特許文献１】実開平２−１１６６０５号公報
【発明の概要】
【発明が解決しようとする課題】
【０００７】
しかしながら、このような従来の構成では、ネオン管１０，１１や抵抗２の直列接続の両端には、商用電源が印加され、そのおのおの間に絶縁距離の確保が必要であること、水機器では、器内に浸入した水滴が、制御回路に付着して発生する、トラッキング現象に対する対策が必要になること、ネオン管は発光色や輝度が制約され、一方、発光色や輝度が選択できるＬＥＤ等を点灯させるためには、商用電源の両端に接続された電源回路を構成せねばならず、そのサージ保護対策やＥＭＣ対策も含め、大幅なコストアップを招くという課題があった。
【０００８】
又、近年、日本で普及している、給電台つき電気やかんでは、サーモスタットが可搬容器側についており、給電台側に通電表示を設置するためには、給電台に、通電表示専用の接点の追加が必要となり、構造の複雑化とコストアップを招いてしまうという課題があった。
【０００９】
本発明は、前記従来の課題を解決するもので、絶縁距離の確保やトラッキング対策を簡易化し、ＬＥＤ等ネオン管以外の表示手段や報知手段を、安価に実現することを目的とする。
【００１０】
更には、給電台つき電気やかんにおいても、給電台への通電表示の設置を、通電接点の追加を必要とせず、安価に実現することのできる構成を、提供することを目的とする。
【課題を解決するための手段】
【００１１】
前記従来の課題を解決するために、本発明の電気調理器は、調理手段と、商用電源に接続され調理手段への通電を制御する通電制御手段と、調理手段に供給される電流経路に１次側端子対を直列に挿入された変成器と、この変成器の２次側端子対より電源電流を供給されて動作する表示手段、もしくは報知手段とより構成したものである。
【００１２】
これにより、変成器の１次側端子対のラインはほぼ同電位で、かつ、調理手段をはさんで、商用電源の反対側のラインとは独立しており、相互の絶縁は容易に図ることができる。
【００１３】
又、変成器にて変成器の１次側と２次側の回路とは絶縁され、かつ、変成器の２次側の回路は電圧が低いため、変圧器の１次側と２次側の間、もしくは、変圧器の２次側の回路内に、たとえ水が付着してもトラッキング現象は発生しない。
【００１４】
又、変成器の２次側出力を電源とし用いているため、ネオン管のように、色調や輝度の制約が無く、色調や輝度が自由に選択できるＬＥＤ等の表示手段の点灯や、ブザーの鳴動等の報知手段の実現が可能である。
【００１５】
又、この変成器は、１次側が商用電源の両端に直接接続されているわけではないので、サージ保護やＥＭＣ対策が不要であり、ＬＥＤの点灯等の表示やブザー音等の報知を、簡単な構造で、安価に実現することができるものである。
【００１６】
請求項２の電気調理器は、変成器の２次側の出力電圧の大小により、その表示の状態、もしくは報知の状態を変化させる構成としたものである。
【００１７】
これにより、表示手段もしくは報知手段は、変成器の１次側端子対間に流れる電流、つまり調理手段を動かすための電流、例えば、粉砕や混合等を行なう場合には、その動力となる電動機の電流値の大小を表示するものである。
【００１８】
又、粉砕や混合が進むにつれ、電動機の回転数は上昇し、その消費電流は減少するため、電流値の大小を表示することにより、粉砕や混合調理の進行状況を、使用者に知らせることができるものである。
【００１９】
請求項３の電気調理器は、変成器の２次側端子対間に、過電圧吸収手段を接続した構成としたものである。
【００２０】
これにより、商用電源より、過大なサージが進入し、変成器のリアクタンス分により減衰させきることができず、変成器の２次側端子対間に、高い電圧のサージが誘起されてしまった場合でも、過電圧吸収手段が、この電圧サージを吸収し、表示手段もしくは報知手段に対する電圧サージが印加を防止し、表示手段もしくは報知手段が、破壊することはない。
【発明の効果】
【００２１】
本発明の電気調理器は、簡単な構造で、安価に、色調や輝度が自由に選択できる表示手段や、報知手段の実現が可能である。
【図面の簡単な説明】
【００２２】
【図１】本発明の実施の形態１における電気調理器の回路図。
【図２】本発明の実施の形態２における電気調理器の回路図。
【図３】本発明の実施の形態３における電気調理器の回路図。
【図４】従来の電気調理器の回路図。
【発明を実施するための形態】
【００２３】
第１の発明は、通電制御手段が、調理手段への通電を行ない、商用電源より、調理手段に電流が供給されると、その経路に１次側端子対が挿入された変成器の２次側端子対には、誘起電圧が発生し、これを電源として、この２次側端子対に接続された表示手段もしくは報知手段が、動作する。
【００２４】
第２の発明は、第１の発明において、変成器の２次側端子対に発生した誘起電圧を電源とする、表示手段もしくは報知手段は、その誘起電圧の大小により、表示の状態もしくは報知の状態を変化させることにより、調理手段の消費する電流値を、表示もしくは報知することができ、使用者に調理の状態を知らせることができる。
【００２５】
第３の発明は、変成器の２次側端子対間に、過電圧吸収手段を接続したことにより、商用電源より、過大なサージが進入し、変成器のリアクタンス分により減衰させきることができず、変成器の２次側端子対間に、高い電圧のサージが誘起されてしまった場合でも、過電圧吸収手段が、この電圧サージを吸収し、表示手段もしくは報知手段に対して、高い電圧のサージが印加されることはなく、表示手段もしくは報知手段が、破壊することはない。
【００２６】
（実施の形態１）
図１は、本発明の実施の形態１における電気調理器、ここでは給電台３１とヒータ３９の装着された水容器部が分離し、給電台３１より水容器部へ大電流コネクタでヒータ電流を供給する、給電台付き電気やかんの回路図である。
【００２７】
給電台３１内には、商用電源３２から供給される電流の片側を、その１次側の端子対に直列に接続された変成器３３と、変成器３３より電源電流が供給される表示手段３４、水容器３７側へ電流を供給する大電流コネクタ３５（変成器３３側）と、大電流コネクタ３６（変成器３３とは反対側）が、設置されている。
【００２８】
水容器３７側にも、大電流コネクタ３５，３６の受け側が存在し、サーモスタット３８をへて、水容器３７内の水を加熱するヒータ３９（調理手段に相当）へ、電流を供給するように接続されている。
【００２９】
サーモスタット３８は、使用者が手動スイッチ（図１には不掲載）によって電気接点を閉じ、水容器３７内の水が沸騰し、水容器３７の上部空間内に蒸気が充満すると電気接点が開く構造となっている。
【００３０】
本実施の形態では、変成器３３の１次側の巻線は、１ターンもしくはせいぜい数ターン以内で、かつ、巻線断面積が大きく大電流の通過を許容し、一方、２次側の巻線は、数百ターン以上あり、１次側の巻線に流れる電流に応じた電圧を発生する、いわゆる、電流検出用のカレントトランスである。
【００３１】
又、本実施の形態では、表示手段３４は、変成器３３の２次側端子対に交流側端子対を接続されたブリッジダイオード４０と、このブリッジダイオード４０の直流側端子＋−間に接続された、ＬＥＤ４１とその限流抵抗４２の直列接続より構成されている。
【００３２】
次に、この構成における動作について説明する。使用者が、水容器３７に水を入れ、給電台３１を商用電源３２に接続し、サーモスタット３８の手動スイッチをオンすると、その電気接点が閉じて、商用電源３２より、ヒータ３９に電流が供給され、ヒータ３９は発熱する。
【００３３】
ヒータ３９で発生した熱は、水容器３７内の水を温め、沸騰に至る。水容器３７内の水が沸騰すると、水容器３７の上部空間に蒸気が充満し、サーモスタット３８の電気接点が開き、ヒータ３９への通電は停止される。
【００３４】
変成器３３の１次側の端子対は、ヒータ３９への電流経路に直列に挿入されており、ヒータ３９に通電されている場合、その通電電流が流れ、それにより変成器３３の２次側の端子対には、誘起電圧が発生する。この誘起電圧は、ダイオードブリッジ４０により全波整流され、ダイオードブリッジ４０の＋出力端子より、ＬＥＤ４１、限流抵抗４２を経由して流れ、ダイオードブリッジ４０の−出力端子に戻る。この時、流れる電流により、ＬＥＤ４１は、発光する。
【００３５】
以上により、ヒータ３９へ通電が行なわれている間、ＬＥＤ４１が発光し、使用者は、ヒータ３９に通電が行なわれていることがわかる。
【００３６】
ＬＥＤ４１の色は、任意に選ぶことができ、且つ又、その輝度は、限流抵抗４２の値により調整することができる。
【００３７】
以上のように、本実施の形態においては、変成器３３の１次側端子対のラインはほぼ同電位で、かつ、調理手段（ヒータ３９）をはさんで、商用電源３２の反対側のラインとは独立しており、相互の絶縁は容易に図ることができる。
【００３８】
変成器３３により、変成器３３の１次側と２次側の回路とは絶縁され、かつ、変成器３３の２次側の回路は電圧が低いため、変圧器３３の１次側と２次側の間、もしくは、変圧器３３の２次側に接続された表示手段３４の回路内に、たとえ水が付着しても、トラッキング現象は発生しない。
【００３９】
変成器３３の２次側出力を電源とし用いているため、ネオン管のように、色調や輝度の制約が無く、色調や輝度が自由に選択できるＬＥＤ等の表示手段の点灯や、ブザーの鳴動等の報知手段の実現が可能である。
【００４０】
又、この変成器３３は、１次側が商用電源３２の両端に直接接続されているわけではないので、一般的には、サージ保護やＥＭＣ対策が不要であり、ＬＥＤの点灯等の表示やブザー音等の報知を、簡単な構造で、安価に実現することができるものである。
【００４１】
尚、本実施の形態では、変成器３３より電源を供給されるのは、表示手段３４としたが、例えば、発振回路とブザーの組み合わせのような、報知手段であってもよい。
【００４２】
（実施の形態２）
図２は、本発明の実施の形態２における電気調理器、ここでは調理物を収容する容器（図２には不掲載）内に設置されたカッター刃（図２には不掲載）によって、調理物を粉砕する、粉砕調理器の回路図である。実施の形態１と同じ構成要素については、説明を省略する。
【００４３】
カッター刃は、電動機４３に機械的に連結され、電動機４３により回転する。
【００４４】
スイッチ４４は、使用者によって操作され、押されている間、電気接点が閉じられ、電動機４３に商用電源３２が接続される。
【００４５】
表示手段３４は、ダイオードブリッジ４０と、ダイオードブリッジ４０の直流電圧出力端子対より動作電流を供給されると共に、その電圧レベルを表す３つのＬＥＤ、第１のＬＥＤ４５、第２のＬＥＤ４６、第３のＬＥＤ４７を駆動する、レベルメータＩＣ４８により、構成される。
【００４６】
次に、この構成における動作について説明する。使用者が、容器内に調理物を入れ、商用電源３２を接続し、スイッチ４４を押すと、スイッチ４４の電気接点が閉じ、商用電源３２が電動機４３に接続され電流が供給されて、電動機４３は回転を始める。電動機４３が回転を始めると、電動機４３に機械的に連結されたカッター刃も回転を始め、調理物を粉砕する。
【００４７】
使用者が、スイッチ４４を押している間、電動機４３は回転し続け、カッター刃も回転をし続けて、調理物を粉砕し続けるが、容器内の調理物の粉砕が進むにつれ、回転の抵抗が下がり、電動機４３の回転数は上昇する。電動機の一般的な特性として、負荷が低減され、回転数が上昇すると、消費電流は減少するので、電動機４３の消費電流も、次第に減少する。
【００４８】
電動機４３の電流経路には、変成器３３の１次側端子対が直列に挿入されており、電動機４３の消費電流の低下に伴い、変成器３３の２次側端子対に出力される誘起電圧も低下する。一方、レベルメータＩＣ４８は、第１のＬＥＤ４５〜第３のＬＥＤ４７のうちの、この変成器３３の２次側端子対に出力される誘起電圧の電圧レベルに応じたＬＥＤを点灯させる。
【００４９】
このため、調理物の粉砕が進み、電動機４３の負荷が低下し、回転数が上昇し、消費電流が減少するに従い、変成器３３の２次側電圧レベルを表示する、第１のＬＥＤ４５〜第３のＬＥＤ４７の表示レベルは、順次低下する。
【００５０】
使用者は、好みの調理物の粉砕程度に応じたＬＥＤが点灯したことを確認すると、スイッチ４４を押すのをやめ、スイッチ４４の電気接点が開いて、電動機４３への通電が停止され、カッター刃の回転も停止し、調理物の粉砕は終了する。
【００５１】
この様に、使用者は、第１のＬＥＤ４５〜第３のＬＥＤ４７を見ることにより、調理物の粉砕の程度を知ることができ、調理物を好みの大きさに粉砕することができる。
【００５２】
以上のように、本実施の形態においては、表示の状態の変化により、調理物の粉砕の程度を、使用者に知らせることができるものである。
【００５３】
尚、本実施の形態では、変成器３３より電源を供給されるのは、表示手段３４としたが、例えば、電源電圧によって発信音量が変化する等の、報知手段であってもよい。
【００５４】
（実施の形態３）
図３は、本発明の実施の形態３における電気調理器、給電台付き電気やかんの回路図である。実施の形態１と同じ構成要素については、説明を省略する。
【００５５】
４９は、変成器３３の２次側端子対間に接続された過電圧吸収手段、ここではサージアブゾーバである。
【００５６】
次に、この構成における動作について説明する。実施の形態１と同じ動作については、説明を省略する。
【００５７】
商用電源３２より給電台３１に、サージが侵入したとき、サーモスタット３８の接点が閉じ、ヒータ３９に通電中であれば、瞬間的に大きな電流が、変成器３３の１次側端子対間からサーモスタット３８をへて、ヒータ３９に流れる。
【００５８】
変成器３３は、元々リアクタンス成分があり、瞬間的な電流の変動については、２次側に伝達しにくい特性をもつが、商用電源３２より侵入したサージが過大であった場合、ダイオードブリッジ４０やＬＥＤ４１の定格電圧を超過してしまうような電圧を、２次側端子間に誘起してしまい、これらを破壊してしまう可能性がある。
【００５９】
変成器３３の、２次側端子対間に、過電圧吸収手段４９を挿入することにより、変成器３３の、２次側端子対間に発生した過電圧による電流を短絡し、ダイオードブリッジ４０やＬＥＤ４１への、過電圧の印加を防ぐことができる。
【００６０】
以上のように、本実施の形態においては、過電圧吸収手段４９が、過電圧を吸収し、表示手段３４に対して、過電圧が印加されることはなく、表示手段が破壊することはない。
【００６１】
尚、変成器３３より電源を供給されるのは、表示手段３４としたが、例えば、発振回路とブザーの組み合わせのような、報知手段であってもよい。
【産業上の利用可能性】
【００６２】
以上のように、本発明にかかる電気調理器は、簡単な絶縁構成を実現すると共に、水機器におけるトラッキング現象発生のリスクを抑え、かつ安価に、色調や輝度が自由に選択できる表示手段や、報知手段を実現することができ、電気調理器全般に広く利用することができる。
【符号の説明】
【００６３】
３１  給電台
３２  商用電源
３３  変成器
３４  表示手段
３５  大電流コネクタ
３６  大電流コネクタ
３７  水容器
３８  サーモスタット
３９  ヒータ
４０  ダイオードブリッジ
４１  ＬＥＤ
４２  限流抵抗
４３  電動機
４４  スイッチ
４５  第１のＬＥＤ
４６  第２のＬＥＤ
４７  第３のＬＥＤ
４８  レベルメータＩＣ
４９  過電圧吸収手段
【図１】
2013202160.tif 000003
【図２】
2013202160.tif 000004
【図３】
2013202160.tif 000005
【図４】
2013202160.tif 000006